(57)【特許請求の範囲】
【請求項１】
ベースとなるテープ材の一面に長手方向に沿って少なくとも磁気式テープからなる磁気式タグを固定してある電子タグにあって、前記電子タグはフープ材として形成されており、前記したベースとなるテープ材の一面には前記した磁気式タグに加え、個体識別情報を有するＩＣチップと送受信アンテナから構成され、ＵＨＦ帯のマイクロ波を使用する無線方式の非接触式ＩＣタグを並設もしくは重合してあり、前記したベースとなるテープ材の他方面には粘着剤層が設けられ、該粘着剤層に剥離紙が積合されており、前記したベースとなるテープ材は幅を６ｍｍ以下とし、使用時の長さは５０ｍｍ以上１３０ｍｍ以下とされ、
前記フープ材として形成されている電子タグをセットするためのケースと、前記電子タグを適宜長さにカットして貼装する対象を固定するための前記電子タグの引き出し方向に摺動可能な台と、前記剥離紙を巻き取るための巻き取りローラと、前記電子タグを貼装するための貼装手段と、前記フープ材として形成されている電子タグを適宜長さにカットするためのカッター機構とを備えるラベリング装置を用い、
前記フープ材として形成されている電子タグを前記ケースにセットし、前記電子タグを適宜長さにカットして貼装する対象としての書籍のページ、喉部分、もしくは束又はマイクロフィルムフィッシュを前記台に固定し、
前記ケースにセットした前記電子タグを前記剥離紙を剥離した状態で引き出し、
前記電子タグと剥離された前記剥離紙を前記巻き取りローラに固定して順次巻き取りつつ、
前記剥離紙を剥離した電子タグを前記対象に前記貼装手段で押し付け、前記対象を固定した台を適宜長さ移動させ、前記カッター機構によってカットし、前記貼装手段によって前記電子タグを前記対象に貼装する電子タグの貼装方法において、
前記貼装手段は移動する台に固定された対象に押し付ける抑えローラとし、前記剥離紙を剥離した電子タグを、前記貼装手段で前記対象に押し付けながら、前記対象を固定した台を適宜長さ移動させることにより貼装することを特徴とする電子タグの貼装方法。
【発明の詳細な説明】
【技術分野】
【０００１】
本発明は電子タグに関し、その電子タグが具備された個体の不正持出し、特に万引き等の犯罪行為防止の機能を有し、必要に応じて前記個体の識別、情報管理を共に行なえる非接触式ＩＣタグの付加も可能としたテープタイプの電子タグに関する。
【背景技術】
【０００２】
磁気式タグは磁性体が電磁場に影響を与える特性を利用し、店舗や施設から商品や備品を不正に持ち出すことの防止を目的として使用されている。この磁気式タグは電磁場を発生および感知するゲートとシステム上対応している。この磁気式タグは商品等の不正持出し防止を目的とするため、個体の個別な識別機能は有していない。
【０００３】
この磁気式タグは、テープタイプの場合、その貼着作業はほとんどが手作業でなされることとなり、非常に効率が悪く、時間を要するうえに、実際には装着状態が蛇行してしまうこともあり、機能性の点に加え、美感も悪くなってしまう。
【先行技術文献】
【特許文献】
【０００４】
出願人は本願発明に関し、先行する技術文献を調査したが、格別に本願発明と関連し、類似すると思われる文献は発見できなかった。
【発明の概要】
【発明が解決しようとする課題】
【０００５】
本願発明が解決しようとする問題点は、従来のテープタイプの磁気式タグは、装着する作業がほとんど手作業となり、時間がかかるうえに、装着状態の見栄えも悪くなってしまうという点であり、これは、ＩＣチップとアンテナとから構成される非接触式タグにもいえることである。
【課題を解決するための手段】
【０００６】
上記した問題点を解決するために、本発明に係る電子タグの貼装方法は、ベースとなるテープ材の一面に長手方向に沿って少なくとも磁気式テープからなる磁気式タグを固定してある電子タグにあって、前記電子タグはフープ材として形成されており、前記したベースとなるテープ材の一面には前記した磁気式タグに加え、個体識別情報を有するＩＣチップと送受信アンテナから構成され、ＵＨＦ帯のマイクロ波を使用する無線方式の非接触式ＩＣタグを並設もしくは重合してあり、前記したベースとなるテープ材の他方面には粘着剤層が設けられ、該粘着剤層に剥離紙が積合されており、前記したベースとなるテープ材は幅を６ｍｍ以下とし、使用時の長さは５０ｍｍ以上１３０ｍｍ以下とされ、前記フープ材として形成されている電子タグをセットするためのケースと、前記電子タグを適宜長さにカットして貼装する対象を固定するための前記電子タグの引き出し方向に摺動可能な台と、前記剥離紙を巻き取るための巻き取りローラと、前記電子タグを貼装するための貼装手段と、前記フープ材として形成されている電子タグを適宜長さにカットするためのカッター機構とを備えるラベリング装置を用い、前記フープ材として形成されている電子タグを前記ケースにセットし、前記電子タグを適宜長さにカットして貼装する対象としての書籍のページ、喉部分、もしくは束又はマイクロフィルムフィッシュを前記台に固定し、前記ケースにセットした前記電子タグを前記剥離紙を剥離した状態で引き出し、前記電子タグと剥離された前記剥離紙を前記巻き取りローラに固定して順次巻き取りつつ、前記剥離紙を剥離した電子タグを前記対象に前記貼装手段で押し付け、前記対象を固定した台を適宜長さ移動させ、前記カッター機構によってカットし、前記貼装手段によって前記電子タグを前記対象に貼装する電子タグの貼装方法において、前記貼装手段は移動する台に固定された対象に押し付ける抑えローラとし、前記剥離紙を剥離した電子タグを、前記貼装手段で押し付けながら、前記対象を固定した台を適宜長さ移動させることにより貼装することを特徴としている。
【発明の効果】
【００１０】
本発明に係る電子タグは上記のように構成されている。そのために、フープ材とされているものを機械的に順次引き出し、対象の表面に貼付しながら、適宜寸法でカットし、押し付けることが可能となり、装着場所が限定された狭く、細い個所にでも容易に、しかも、蛇行等することもなく、綺麗に装着することができ、大幅に作業時間の短縮が可能となる。
【００１１】
加えて、磁気式テープに加え、非接触式のＩＣタグを装備することで、対象となる個体の情報管理も同時に行なえることとなる。しかも、その付加の構成によって、非接触式ＩＣタグのＩＣチップと連通する励振スリットが磁気式タグと重なることをなくし、インピーダンス整合が取れなくなる事等による通信不能、機能低下を抑制している。また、磁気式テープと非接触式のＩＣタグを重合させることとすると、ベーステープの使用域を小さくでき、省スペースとして、より細幅、短寸の製品とすることができる。
【図面の簡単な説明】
【００１２】
【図１】本発明を実施し、カットされた状態の電子タグを示す平面図である。
【図２】他の例を示す平面図である。
【図３】使用対象となる書籍を示す斜視図である。
【図４】使用対象となるカセット磁気テープのケースへの貼付例を示す図である。
【図５】ゲート通過位置を示す図である。
【図６】ゲートに対しての通過方向を示す図である。
【図７】使用対象となる証券マイクロテープへの貼付例を示す図である。
【図８】ゲート通過位置を示す図である。
【図９】ゲートに対しての通過方向を示す図である。
【図１０】マイクロフィッシュへの貼付例を示す図である。
【図１１】ラベラーとの関係を示す平面図である。
【図１２】ラベラーとの関係を示す側面図である。
【発明を実施するための形態】
【００１３】
図面として示し、実施例で説明したように構成したことで実現した。
【実施例１】
【００１４】
次に、本発明の好ましい実施の例を図面を参照して説明する。図面にあって１はベースとされるテープ材を示しており、このテープ材１はフレキシブルなプラスチック製のものが使用される。後述するように、本実施例に係る電子タグは、書籍、その他の商品を使用対象として、主にその不正持出し防止を図るため、装着がし易いようにテープ材１の幅は６ｍｍ以下、そして長さは対象に合わせ、１５０ｍｍ以下、特に１３０ｍｍ、６３ｍｍ、５０ｍｍ等にカットされた状態となっている。
【００１５】
このテープ材１の一方側の面上にはテープ材１の長手方向に沿って磁気式タグ２が直線方向に配置され、粘着剤等の固定手段を介して固定されている。ゲートと対応させ、不正持出し防止を図るのみなら、この磁気式タグ２のみでよいが、個体情報の管理も併用するにはその磁気式タグ２と平行に非接触式ＩＣタグ３が配置される。
【００１６】
また、前記したテープ材１の他方側面には粘着剤層が設けられ、剥離紙が積合されるもので、初期的に、磁気式タグ２や非接触式ＩＣタグ３が設けられたテープ材１は剥離紙側を外側としてコアにロールされたフープ材として成形される。
【００１７】
ここでいう磁気式タグ２とは、一般的に万引き等の不正持出し防止を目的として使用されるもの（磁性体と半硬質磁性体を組み合わせた構成、または磁性体のみの構成）であれば、特に限定されるものではないが、磁性体としては、好ましくは５ｍＯｅ，１ｋＨｚの励振磁界における初透磁率が１０００以上の高透磁率を持つ金属材料がよい。具体的には、Ｎｉ-Ｆｅを主成分とするパーマロイ，Ｆｅ‐Ｓｉ合金，アモルファス合金等が挙げられ、なかでもＣｏ‐Ｆｅ‐Ｓｉ‐Ｂ，Ｃｏ‐Ｆｅ‐Ｎｉ‐Ｓｉ‐Ｂを主成分とするアモルファス金属材料は高透磁率特性を示すことから、特に好ましい。
【００１８】
尚、本願における磁性体材料の形態としては、円形断面、楕円断面、多角形断面を有する線材や、細幅の矩形断面を有する薄板や薄帯のものを用いることができる。また、磁化過程において、ある特定の励磁磁界（逆磁区形成限界磁界値）において、急速に磁化反転を生じる大バルクハウゼン不連続という磁気特性を示すＦｅ‐Ｃｏ‐Ｓｉ‐Ｂを主成分とするアモルファス金属材料も本願発明の磁性体として好ましい材料に挙げられる。
【００１９】
また、半硬質磁性体としては、保磁力が１０エルステッド以上５００エルステッド以下のものを用いることができ、種々のＦｅ合金やＣｏ合金を用いることができる。なかでもＦｅ‐Ｃｏ‐Ｃｒ系合金は、３０エルステッド以上１５０エルステッド以下の優れた半硬質磁気特性を示すので、本願発明に好ましい材料である。また、半硬質磁性材料としては、長さが３ｍｍ以上のものを用いれば、半硬質磁性材料が着磁した場合に磁性体材料（例えば、軟磁性体材料）に充分な失活性能を付与することができ、好ましい。
【００２０】
さらに、本実施例で用いられる非接触式ＩＣタグ３は、ＩＣチップ４と、そのＩＣチップ４と電気的に接続されているアンテナ５から構成され、接着手段、例えば０．１７ｍｍ厚の両面テープによって固定されている。ここでアンテナ５はアルミニウムや銅等の金属もしくは合金の非磁性材料で形成されている。このアルミニウムや銅は安価で、エッチング等の加工性が良く、良好な特性を得るためのアンテナ５の材料として好適である。
【００２１】
また、非接触式ＩＣタグ３は、ＵＨＦ帯のマイクロ波を使用する無線方式のものとされ、アンテナ５として形状が棒状となるダイポールアンテナを用いることで良好な通信特性を得られるため、電子タグとして形状を細型化することができる。
【００２２】
前記したように、磁気式タグ２は半硬質磁性体をセグメント２ａ、２ａ‥として、間隔をあけて配置し、そのセグメント２ａ、２ａ‥の間隔位置に対応して前記した非接触式ＩＣタグ３のＩＣチップ４を位置させることができ、このセグメント２ａ、２ａ‥を磁性体の磁気テープ２ｂで接続もしくは重合させて構成することもできる（図２）。
【００２３】
こうした構成の本実施例に係る電子タグは、テープ材１に搭載された磁気式タグ２、２‥及び非接触式ＩＣタグ３の上面から脱落や位置ずれを防止するためのカバーテープを重合させてやることもでき、全体としてテープ状の電子タグとすることができる。この電子タグは図３として例示する書籍Ｂのページ間や喉部分６に挟み込んだり、両面テープ等を用いて装着してやることもでき、背表紙７と一縁を糊付けされている束８の間に形成される空隙に挿入装着してやることもできる。
【００２４】
一方、図４として示すのは、本実施例に係る電子タグＴ、Ｔをカセット磁気テープ（ＣＭＴ）のケース９に貼着した例である。この場合、２本の電子タグＴ、Ｔを５０ｍｍの長さとしてケース９の直交する二面に貼着し、クロス状態としてある。この状態で左右一対のゲート間を、手に持った場合、服のポケットに入れた場合の２パターンで、通常の歩行速度で反応をテストした。その結果は表１に示すとおりであり、ポケットに入れた場合は、ＣＭＴケース９を床と平行に保つことはできないので結果はない。
【００２５】
【表１】
0005595088.tif 000002
【００２６】
また、図７として示すのは電子タグＴ、Ｔを証券マイクロテープのケース１０に貼着した例である。この場合も、２本の５０ｍｍの長さにカットした電子タグＴ、Ｔをケース１０の表面に直交するクロス状態に貼着してある。この場合、左右のゲートの３つの高さ及び幅による９つのポイントにおいて通常の歩行速度でテストをした（図８参照）。また、証券マイクロテープのケース１０の保持方向も電子タグＴ、Ｔを床と並行及び床と垂直の２通りにおいて行なった。その結果は平均９４％で反応した。その結果は表２に示す。
【００２７】
【表２】
0005595088.tif 000003
【００２８】
そして、図１０乃至１２にあっては、横幅６ｍｍとした電子タグＴ、Ｔをマイクロフィルムフィッシュ１１に貼装する場合を示し、そのラベリング装置の概要を示す。この貼装個所はマイクロフィルムフィッシュ１１のフレーム１１ａ部分となり、長さは５０ｍｍとなる。本例では電子タグをフレーム１１ａの縦横部分に２本をクロス状態で貼装することとなる。
【００２９】
ロールされてフープ状とされた電子タグは送出口１２ａを有するケース１２内にセットされる。そして、マイクロフィルムフィッシュ１１は摺動する台１３上にセット固定される。この台１３は必要となる電子タグＴの長さ分としての５０ｍｍの移動を可能としている。ケース１２の送出口１２ａは貼装を目的とするフレーム１１ａに対応している。
【００３０】
送出口１２ａから引き出された電子タグＴは、粘着層側に設けられている剥離紙（台紙）１４が電子タグＴと剥離された状態となっており、この剥離紙１４の先端は巻取りローラ１５に固定され、順次巻き取られていくようになっている。電子タグＴの先端は抑えローラ１６によってフレーム１１ａに押し付けられる。ここで、台１３が５０ｍｍ移動すると、自動的に、電子タグＴは抑えローラ１６によってフレーム１１ａに押し付け貼装される。この抑えローラ１６による押し付けによって、電子タグＴは蛇行やシワがよることもなく、精巧に貼装されることとなる。尚、この際に剥離紙１４は巻取りローラ１５によって５０ｍｍ分巻き取られ、電子タグＴは送出口１２ａの開口縁にあるカッター機構によりカットされる。この作業をフレーム１１ａの縦横方向に対して実行することとなり、このラベリング装置を用いることで電子タグＴの貼装作業は著しく効率がアップする。
【００３１】
このラベリング装置の使用はマイクロフィルムフィッシュ１１のみに限られるものではなく、前記したケース９や１０あるいは書籍Ｂに対しても実行でき、書籍Ｂの場合は製本過程で行なうことも可能である。電子タグの長さも５０ｍｍにこだわるものではなく、書籍Ｂに対しては６３ｍｍや１３０ｍｍ等、この書籍Ｂのサイズに対応させることができる。
【産業上の利用可能性】
【００３２】
本発明に係る電子タグは上記のように構成されており、実施例で示した対象商品のほか、ＣＤ、ＤＶＤ等のケースや化粧品や薬品のボックスケース等、装着形態が特定される種々の商品、物品に対して広く応用して装着使用することが可能である。
【００３３】
また、電子タグをフープ材としてラベリング装置を用いて自動貼装する構成は、不正持出し防止用の磁気式タグに限らず、個体情報を識別するための非接触式タグのみをベースとなるテープ材に搭載したものにあっても応用することができる。
【符号の説明】
【００３４】
１    テープ材
２    磁気式タグ
２ａ  セグメント
２ｂ  磁気テープ
３    非接触式ＩＣタグ
４    ＩＣチップ
５    アンテナ
６    喉部分
７    背表紙
８    束
９    ケース
１０  ケース
１１  マイクロフィルムフィッシュ
１１ａ  フレーム
１２  ケース
１２ａ  送出口
１３  台
１４  剥離紙
１５  巻取りローラ
１６  抑えローラ
Ｂ    書籍
Ｔ    電子タグ
【図１】
0005595088.tif 000004
【図２】
0005595088.tif 000005
【図３】
0005595088.tif 000006
【図４】
0005595088.tif 000007
【図５】
0005595088.tif 000008
【図６】
0005595088.tif 000009
【図７】
0005595088.tif 000010
【図８】
0005595088.tif 000011
【図９】
0005595088.tif 000012
【図１０】
0005595088.tif 000013
【図１１】
0005595088.tif 000014
【図１２】
0005595088.tif 000015